(57)【要約】【課題】磁気記録再生装置におけるテープカセットの出入り口に取付けられるドアであり、ドアの回転軸が破損した場合であっても、ドアに取付けて常時閉じるように作用するスプリングなどの弾性体が外れないようにしているドアの提供。【解決手段】ドア１を回転して開閉する為にフロントパネルの軸受け６に軸支される回転軸２を上縁の両側外方向へ延ばして設けている。そして回転軸２から離れた上縁部位には切欠き部８を形成していて、該切欠き部８の内側ヘ延ばして設けた係止軸９ａ，９ｂには両端にアーム７ａ，７ｂを延ばしたスプリング３を取付けている。【選択図】　　　　図１
2004055024.tif 000002
【特許請求の範囲】
【請求項１】
磁気記録再生装置におけるテープカセットの出入り口に取付けられるドアにおいて、該ドアを回転して開閉する為にフロントパネルの軸受けに軸支される回転軸を上縁の両側外方向へ延ばして設け、そして回転軸から離れた上縁部位には切欠き部を形成し、該切欠き部に弾性体を取付けたことを特徴とする磁気記録再生装置におけるテープカセットの出入り口ドア。
【請求項２】
磁気記録再生装置におけるテープカセットの出入り口に取付けられるドアにおいて、該ドアを回転して開閉する為にフロントパネルの軸受けに軸支される回転軸を上縁の両側外方向へ延ばして設け、そして回転軸から離れた上縁部位には切欠き部を形成し、該切欠き部には係止軸を内側へ延ばすと共に、該係止軸には両端にアームを延ばしたスプリングを取付けたことを特徴とする磁気記録再生装置におけるテープカセットの出入り口ドア。
【発明の詳細な説明】
【０００１】
【発明の属する技術分野】
本発明は磁気記録再生装置において、テープカセットの出入り口となるドアに関するものである。
【０００２】
【従来の技術】
磁気記録再生装置にはテープカセットの出入り口が設けられ、該出入り口には開閉するドアが取付けられている。図３は磁気記録再生装置の外観を示しているが、正面の出入り口に取付けられるドア１はテープカセットを出入れする際に開くことが出来る。そこで、常時は該ドアにバネ力が付勢されて閉じている。すなわち、出入り口から異物が侵入しないようにしている。
【０００３】
上記ドアは横長の長方形板であって、上縁の両側端に回転軸を延ばし、この回転軸を出入り口両脇の内側に設けている軸受けに係合した構造と成っている。ドアは回転軸を中心とした回転運動により開閉することが出来る。そして、上記回転軸にはコイルバネなどの弾性体が取付けられていて、ドアが閉じるようにバネ力（弾性力）が付勢されている。
【０００４】
実開平６−７７０９０号に係る「カセットドア取付け装置」は磁気記録再生装置のドア取付け構造の従来例の１つである。このカセットドア取付け装置は、カセットプレーヤ等のカセットの挿入口（出入り口）に取付けられるドアを装着する際の作業性と、装着後の回転軸の抜けを防止するものであり、「カセットドアの回転軸に凸部を設けると共に、リブに設けられる丸穴に凸部が挿通可能な凸穴を設け、回転軸にスプリングを取付けた後では前記凸部にスプリングが係止し、回転軸から外れなくなり、又、回転軸が丸穴に挿入された後では凸部がリブの外側面と係合して回転軸が丸穴から外れなくなる。」
【０００５】
上記回転軸に取付けられて凸部に係止したスプリングは該回転軸から外れないが、ドアに大きな外力が作用することで回転軸が破損してしまうならば、スプリングは外れてしまう。このスプリングは金属製のバネ材から成っている場合が多く、磁気記録再生装置内に侵入して電気ショートが発生する危険性がある。又、ドアを取付ける際にスプリングが外れるならば、装置内に侵入して紛失して見つけにくい。
【０００６】
図４は従来のドア１を単独で示している具体例であるが、ドア１の上縁には回転軸２，２を外方向へ延ばして設け、片方の回転軸２にはスプリング３が嵌められ、ドア１の側端にはストッパー４が設けられている。そして、このドア１をキャビネットのフロントパネルの出入り口に取付けた状態が図５に示している。スプリング３は回転軸２に取付けられた状態で、フロントパネル５に設けている軸受け６に回転軸２が嵌って軸支される。
【０００７】
回転軸２に取付けられているスプリング３から延びる一方のアーム７ａはフロントパネル面に当たり、他方のアーム７ｂはドア面に当接している。従って、アーム７ｂがドア１の内面を押圧することで、該ドア１は出入り口を常時閉じることが出来る。しかし、該ドア１から外方向へ延びる回転軸２，２は細くて折れ易く、折れた回転軸２からスプリング３は外れて磁気記録再生装置内に侵入してしまう。
【０００８】
【発明が解決しようとする課題】
このように、従来のドア取付け構造には上記のごとき問題がある。本発明が解決しようとする課題はこの問題点であって、仮に回転軸が破損した場合であっても、ドアに取付けたスプリングなどの弾性体が外れないように構成したドアを提供する。又、ドアをフロントパネルの出入り口に取付けるに際して、弾性体が外れ落ちることがないドアを提供する。
【０００９】
【課題を解決する為の手段】
本発明に係る磁気記録再生装置のドアは、ドアの上縁に外方向へ延びる回転軸を設け、該回転軸をフロントパネルに設けている軸受けに嵌めて取付けている。この取付け構造は従来と同じであるが、本発明ではドアを常時閉じる方向に弾性力を付勢する弾性体の取付け形態に特徴がある。すなわち、上記回転軸が破損しても弾性体はドアから外れないように、又ドアを取付ける際に該弾性体が外れないような構造と成っている。
【００１０】
そこで、上縁部位を一部切欠いて切欠き部を形成し、この切欠き部に弾性体を嵌めて取付ける。この切欠き部は回転軸とは独立した部分に設けられ、そして、弾性体が切欠き部から外れないように係止される。弾性体が前記図４に示すスプリングであるならば、切欠き部内に係止軸を延ばし、この係止軸にスプリングを嵌めて取付けることが出来る。以下、本発明に係る実施例を図面に基づいて詳細に説明する。
【００１１】
【実施例】
図１は本発明に係るドアを示している実施例である。基本的な形態は従来と同じであり、ドア１の上縁には回転軸２，２が両側へ延び、ドア１の片側にはストッパー４が設けられている。回転軸２，２はキャビネットのフロントパネルに設けられる軸受けに軸支され、ストッパー４はフロントパネル面に当たって表面側へはみ出さないようにしている。
【００１２】
ところで、本発明のドア１にはその上縁部位に切欠き部８を切欠いていて、切欠き部８の両側には係止軸９ａ、９ｂを内側へ延ばしている。そして両係止軸９ａ、９ｂの先端間には隙間を残し、この隙間からスプリング３を挿通して係止軸９ａ、９ｂに取付けられる。又切欠き部８の底からドア内面にはアーム７ｂが嵌る切欠き溝１０が形成されている。
【００１３】
図２は上記ドア１をフロントパネル５の内側に取付けた場合であり、軸受け６，６に回転軸２，２が軸支されている。そしてスプリング３は切欠き部８の係止軸９ａ、９ｂに取付けられるが、コイル穴１１に係止軸９ａ、９ｂが嵌入し、一方のアーム７ａはフロントパネル面に当たり、他のアーム７ｂはドア面に当接している。従って、ドア１はスプリング３のバネ力にて常に閉じることが出来る。勿論、テープカセットを挿入する場合や排出するときには、スプリング３が捩られてドア１は開かれるが、その後は直ちに閉じることが出来る。
【００１４】
ところで、該ドア１は細い回転軸２，２にて軸支され、回転軸２，２を中心として回転することで開閉できるが、何らかの力が回転軸２に作用して破損することは従来と同じである。しかし、該回転軸２が破損してドア１が外れたとしても、該ドア１からスプリング３が外れ落ちることはない。すなわち、切欠き部の係止軸９ａ、９ｂは回転軸２の破損には何ら影響されない。
【００１５】
実施例では弾性体としてスプリングを具体的に用いているが、弾性変形に優れた樹脂又はゴムから成る板バネを使用することも出来る。例えば、板バネの中間部に穴を設け、この穴に係止軸９ａ、９ｂが嵌入して取付けることも可能である。そして、弾性体を取付ける手段として係止軸９ａ、９ｂに限るものではない。
【００１６】
以上述べたように、本発明の磁気記録再生装置のドアは、その上縁部位に設けた切欠き部にスプリング等の弾性体を取付けたものであり、次のような効果を得ることが出来る。
【００１７】
【発明の効果】
本発明のドアは上縁部位に形成した切欠き部にスプリング等の弾性体を取付けていて、この弾性体の弾性力を利用してドアは常時閉じることが出来、該出入り口から異物が侵入することを防止できる。そして弾性体はドアを軸支している回転軸が破損して該ドアが外れ落ちた場合であっても、切欠き部から外れることはない。すなわち、切欠き部は回転軸とは別の箇所に設けている為に、回転軸の破損には何ら影響されない。
【００１８】
又、本発明のドアでは、回転軸とは別の箇所に形成した切欠き部に弾性体が取付けられることになるが、ドアをフロントパネルの軸受けに軸支する取付け作業時に、該スプリング等の弾性体を取付ける必要はなく、弾性体を前以て備えたドアを取付け出来る為に簡単である。このように、弾性体は切欠き部に取付けられることで、ドアが外れ落ちてもスプリング等の弾性体が磁気記録再生装置内に侵入して紛失し、電気ショートを起こすことはない。
【図面の簡単な説明】
【図１】本発明に係るドア。
【図２】本発明に係るドアをフロントパネルに取り付けた場合。
【図３】磁気記録再生装置の外観図。
【図４】従来のドア。
【図５】従来のドアをフロントパネルに取り付けた場合。
【符号の説明】
１　ドア
２　回転軸
３　スプリング
４　ストッパー
５　フロントパネル
６　軸受け
７　アーム
８　切欠き部
９　係止軸
１０　係止溝
１１　コイル穴
【図１】
2004055024.tif 000003
【図２】
2004055024.tif 000004
【図３】
2004055024.tif 000005
【図４】
2004055024.tif 000006
【図５】
2004055024.tif 000007